(57)【要約】【課題】特定の番組だけ字幕を表示させたい場合、ユーザーは、その都度、字幕設定をオフからオンへ変更することが必要であり、その番組が終了したときに、字幕設定を元に戻さないと、ユーザーが字幕表示を望まない他の番組でも字幕が表示されてしまう。字幕設定の変更を必要としないで、字幕を表示または非表示すること。【解決手段】番組に含まれる字幕情報と音声情報から特定条件に該当する番組の場合に、自動的に字幕を表示する。【選択図】図１
2007074461.tif 000002
【特許請求の範囲】
【請求項１】
放送波を入力する放送波入力回路と前記放送波入力回路から番組に含まれる音声抽出手段と、
前記放送波入力回路から番組に含まれる字幕抽出手段と、
前記放送波入力回路から番組の番組属性抽出手段と、
装置の設定情報を保存する不揮発性メモリーと、
前記音声抽出手段、前記字幕抽出手段、前記番組属性抽出手段、前記不揮発性メモリーから、出力音声および出力字幕を自動的に決定する選局手段と
前記選局手段からの指示と前記放送波入力回路から字幕を表示する手段と、
同様に、前記選局手段からの指示と前記放送波入力回路から音声を出力する手段を備えることを特徴とする字幕表示装置。
【請求項２】
前記不揮発性メモリーに接続され、前記不揮発メモリーに字幕表示条件をユーザー操作により登録するための字幕表示条件入力手段をさらに備えたことを特徴とする前記請求項１の字幕表示装置。
【請求項３】
ユーザーの字幕設定の変更を監視できる字幕設定変更手段と前記番組属性抽出手段からの情報を前記不揮発性メモリーに登録できる機能をさらに前記選局手段に追加したことを特徴とする前記請求項１の字幕表示装置。
【発明の詳細な説明】
【技術分野】
【０００１】
本発明は、放送を受信し、その番組付属の字幕を表示する装置に関する。
【背景技術】
【０００２】
従来、字幕表示装置は、不揮発性メモリーに保存された字幕のオン／オフ設定に従って、字幕を表示するものが知られている。
【０００３】
図７に従来の字幕表示装置の構造を示しており、１は放送波入力回路、３は字幕情報抽出手段、５は選局手段、６は不揮発性メモリー、７は字幕表示手段、９はスクリーンで構成されている。図８は、従来の字幕設定の表示例である。
【０００４】
従来は、５の選局手段が、３の字幕情報抽出手段を用いて、番組に含まれる字幕ストリームのデータ識別子を７の字幕表示手段に通知する。７の字幕表示手段は、６の不揮発性メモリーにある装置の設定と１の放送波入力回路から字幕データとを読み取り、９のスクリーンに字幕を表示していた。
【特許文献１】特開２０００−１２５２２０号公報
【発明の開示】
【発明が解決しようとする課題】
【０００５】
従来の字幕表示装置においては、不揮発性メモリーに保存された字幕のオン／オフ設定に従って表示していた。
【０００６】
字幕は主に聴覚障害者向けサービスとして運用されており、聴覚障害者の場合は、常に字幕設定がオンの状態で使用されている。しかし健常者でも特定の番組においては、字幕を表示すると利便性が向上する場合がある。その場合、従来の字幕表示装置では、その都度、字幕設定をオフからオンへ変更することが必要で、その番組が終了したときに、字幕設定を元に戻さないと、ユーザーが字幕表示を望まない他の番組でも字幕が表示されてしまう。本発明は、この字幕設定の変更することを必要としないで、字幕を表示または非表示することを目的とする。
【課題を解決するための手段】
【０００７】
この課題を解決するために本発明は、番組に含まれる字幕情報と音声情報から特定条件に該当する番組の場合に、字幕を表示するように構成したものである。
【発明の効果】
【０００８】
本発明によれば、ユーザーがその都度、字幕設定を変更することを必要とせず、字幕を表示でき、ユーザーの利便性が向上するという有利な効果が得られる
【発明を実施するための最良の形態】
【０００９】
（実施の形態１）
以下、図面によって、本発明の請求項１の実施の形態について説明する。
図１は、本発明の一実施例のブロック図である。また図２は、装置の設定ＧＵＩ例である。
【００１０】
図１において、１は放送波を装置に入力する放送波入力回路、２は放送波入力回路から番組の音声情報を抽出する音声抽出手段、３は放送波入力回路から番組の字幕情報を抽出する字幕情報抽出手段、４は放送波入力回路から番組の付属情報を抽出する番組情報抽出手段、５は選局処理を実施する選局手段、６は不揮発性メモリー、７は字幕データをオンスクリーンに表示する字幕表示手段、８は音声データをスピーカーへ出力する音声出力手段、９は表示装置、１０はスピーカーである。
【００１１】
図２は、オン、オフ、シネマの３選択肢を有する字幕設定変更ＧＵＩである。
【００１２】
この実施例の字幕表示装置では、５の選局手段にて、６の不揮発性メモリーより装置の設定がシネマであること、２の音声情報抽出手段より副音声に英語があること、３の字幕情報抽出手段より字幕サービスがあること、４の番組情報抽出手段より番組属性が洋画であることを判断し、条件が一致した場合に、７の字幕表示手段に字幕表示指示をし、同様に８の音声出力手段に副音声出力を指示する。これにより、ユーザーは装置の字幕設定を変更することなく、洋画を映画館のようにオリジナル音声で視聴できる。
【００１３】
（実施の形態２）
以下、図面によって、本発明の請求項２の実施の形態について説明する。
図３は、本発明の一実施例のブロック図である。また図４は、装置の設定ＧＵＩ例である。
【００１４】
図３において、１は放送波を装置に入力する放送波入力回路、２は放送波入力回路から番組の音声情報を抽出する音声抽出手段、３は放送波入力回路から番組の字幕情報を抽出する字幕情報抽出手段、４は放送波入力回路から番組の付属情報を抽出する番組情報抽出手段、５は選局処理を実施する選局手段、６は不揮発性メモリー、７は字幕データをオンスクリーンに表示する字幕表示手段、８は音声データをスピーカーへ出力する音声出力手段、９は表示装置、１０はスピーカー、１１は字幕表示条件入力手段である。
【００１５】
図４は、オン、オフ、ユーザー３選択肢と番組属性を登録できる字幕設定変更ＧＵＩである。
【００１６】
この実施例の字幕表示装置では、５の選局手段にて、６の不揮発性メモリーより装置の設定がユーザーであること、２の音声情報抽出手段より副音声に英語があること、３の字幕情報抽出手段より字幕サービスがあること、４の番組情報抽出手段より取得した番組属性と１１の字幕表示条件入力手段で６の不揮発性メモリーに登録された番組属性を判断し、条件が一致した場合に、７の字幕表示手段に字幕表示指示をし、同様に８の音声出力手段に副音声出力を指示する。
【００１７】
これにより、ユーザーは装置の字幕設定を変更することなく、ユーザーが希望する番組属性の番組について、映画館のようにオリジナル音声で視聴できる。
【００１８】
（実施の形態３）
以下、図面によって、本発明の請求項２の実施の形態について説明する。
図５は、本発明の一実施例のブロック図である。また図６は、装置の設定ＧＵＩ例である。
【００１９】
図５において、１は放送波を装置に入力する放送波入力回路、２は放送波入力回路から番組の音声情報を抽出する音声抽出手段、３は放送波入力回路から番組の字幕情報を抽出する字幕情報抽出手段、４は放送波入力回路から番組の付属情報を抽出する番組情報抽出手段、５は選局処理を実施する選局手段、６は不揮発性メモリー、７は字幕データをオンスクリーンに表示する字幕表示手段、８は音声データをスピーカーへ出力する音声出力手段、９は表示装置、１０はスピーカー、１２は字幕設定変更手段である。
【００２０】
図６は、オン、オフ、自動の３選択肢を有する字幕設定変更ＧＵＩである。
【００２１】
この実施例の字幕表示装置では、５の選局手段にて１２の字幕設定変更手段で字幕設定が変更されたとき、４の番組情報抽出手段から取得した番組属性と、２の音声情報抽出手段から取得した音声情報と、３の字幕情報抽出手段から取得した字幕サービスの有無からユーザーの字幕操作履歴を６の不揮発性メモリーに保存する。次に、５の選局手段にて、６の不揮発性メモリーより装置の設定が自動であることと、２の音声情報抽出手段より抽出した音声情報と、３の字幕情報抽出手段より取得した字幕情報と、４の番組情報抽出手段より取得した番組属性と６の不揮発性メモリーに保存されたユーザーの字幕操作履歴から、字幕表示条件が一致した場合に、７の字幕表示手段に字幕表示指示をし、同様に８の音声出力手段に該当する音声出力を指示する。
【００２２】
これにより、ユーザーは装置の字幕設定を変更することなく、ユーザー自身の操作履歴から希望する字幕と音声で視聴できる。
【産業上の利用可能性】
【００２３】
本発明の字幕表示装置は、ユーザーがその都度、字幕設定を変更することを必要とせず、字幕を表示でき、放送を受像する機器として有用である。
【図面の簡単な説明】
【００２４】
【図１】本発明の実施の形態１における字幕表示装置の構成を示すブロック図
【図２】本発明の実施の形態１における字幕設定変更を示す図
【図３】本発明の実施の形態２における字幕表示装置の構成を示すブロック図
【図４】本発明の実施の形態２における字幕設定変更を示す図
【図５】本発明の実施の形態３における字幕表示装置の構成を示すブロック図
【図６】本発明の実施の形態３における字幕設定変更を示す図
【図７】従来の字幕表示装置の構成を示すブロック図
【図８】従来の字幕設定変更を示す図
【符号の説明】
【００２５】
１    放送波入力回路
２    音声情報抽出手段
３    字幕情報抽出手段
４    番組情報抽出手段
５    選局手段
６    不揮発性メモリー
７    字幕表示手段
８    音声出力手段
９    スクリーン
１０    スピーカー
１１    字幕表示条件入力手段
１２    字幕設定変更手段
【図１】
2007074461.tif 000003
【図２】
2007074461.tif 000004
【図３】
2007074461.tif 000005
【図４】
2007074461.tif 000006
【図５】
2007074461.tif 000007
【図６】
2007074461.tif 000008
【図７】
2007074461.tif 000009
【図８】
2007074461.tif 000010